(57)【要約】【課題】ディスパッチシステムでのシステムデッドロックを妨げるためにリンク活動をモニタする方法および装置【解決手段】リンク活動をモニタすることによってディスパッチシステムのシステムデッドロックを妨げるための方法と装置が説明される。ディスパッチシステムは、一時に１つグループに放送することにより互いと通信する遠隔装置ユニット１０、２０、２２を具備する。遠隔装置１０は、少なくとも１つの基地局４４を通して他の遠隔装置と通信する。通信マネージャ４０は、要求側遠隔装置４４にサービスを提供する基地局を通した要求時に、遠隔装置１０が独占的なシステム通話者になることを認める。基地局４４は、システム通話者１０として指定される遠隔装置からの一連のデータをモニタし、音声活動を検出する。音声活動が所定のしきい値を下回ると、基地局４４は、代わりの要求を通信マネージャ４０に送り、システム通話者特権を放棄する。【選択図】図１
2010068539.tif 000002
【特許請求の範囲】
【請求項１】
下記のステップを具備する、１セットの遠隔装置が、一度に１つ放送することにより互いに通信するディスパッチシステムにおけるデッドロックを妨げるための方法：
基地局で遠隔装置から、システム通話者になる要求を受信する；
前記基地局で、通信マネージャから、前記遠隔装置のシステム通話者になる認可を受信する；
前記基地局で前記遠隔装置から一連のデータをモニタし、音声活動を検出する；
前記基地局によって前記通信マネージャに対し、前記音声活動がしきい値を下回ると前記遠隔装置の前記システム通話者としてやめるための代わりの要求を送る。
【請求項２】
下記のステップを具備する、ある時点での単一遠隔装置が、システム通話者として指定されることがあるプッシューツートークシステムでデッドロックを妨げる方法：
現在、前記システム通話者として指定されている遠隔装置からのリンク活動をモニタする；
リンク活動の欠如が検出される場合、前記遠隔装置にシステム通話者特権の否認を送る。
【請求項３】
前記モニタするステップは下記のステップを具備する、請求項２に記載の方法：
前記遠隔装置から受信される信号のスペクトル内容を調べる；
第１の所定しきい値に前記スペクトル内容を比較する；
前記スペクトル内容が、前記第１の所定しきい値を下回る場合にリンク活動の欠如を決定する。
【請求項４】
前記遠隔装置から受信される信号がデジタルデータを具備する、ここにおいて前記調べるステップが下記のステップを具備する、請求項２に記載の方法：
前記デジタルデータの「１」と「０」という論理状態の間の遷移を調べる；
前記遷移の平均数が、第１の所定しきい値を下回る場合に、リンク活動の前記欠如が存在すると決定する。
【請求項５】
前記遠隔装置から受信される信号がデジタルデータを具備する、ここにおいて前記モニタするステップが下記のステップをさらに具備する、請求項２に記載の方法：
受信されたデジタルデータの総数に比較して、前記デジタルデータ内の「１」という論理状態の発生の平均数を求める；
前記発生の平均数が、第１しきい値を下回る場合、または第２しきい値を上回る場合に、前記リンク活動の欠如が存在すると決定する。
【請求項６】
前記遠隔装置からの信号はフレーム中に編成された可変速度データを具備し、事前に選択されたデータ速度のセットのうちの１つを有する各フレームが、前記リンク活動の欠如を決定するために前記フレームを評価するステップをさらに具備する、請求項２に記載の方法。
【請求項７】
前記遠隔装置からの信号はフレーム中に編成される可変速度データを具備し、各フレームが事前に選択されたデータ速度のセットのうちの１つを有する、ここにおいて前記モニタするステップが下記のステップをさらに具備する、請求項２に記載の方法：
事前に選択されたデータ速度の前記セットのうちの最低のもので前記遠隔装置から受信されるフレームの平均数を求める、
前記フレームの平均数が、第１の時間の長さの間に第１しきい値を超える場合に，前記リンク活動の欠如が存在すると決定する。
【請求項８】
前記モニタするステップが下記のステップをさらに具備する、請求項７に記載の方法：
多数のフレームが、事前に選択されたデータ速度の前記セットのうちの前記最低のもの以外の速度で受信される場合に、リンク活動の初期存在を検出する；
前記フレームの平均数が、第２の時間の長さの間に第２しきい値を超える場合に、前記リンク活動の初期存在を検出後、前記リンク活動の欠如が存在すると決定する。
【請求項９】
前記第２の時間の長さは、前記第１の時間の長さより大きい、請求項８に記載の方法。
【請求項１０】
下記のステップを具備する、ディスパッチシステムにおいてデッドロックを妨げる方法：
第１遠隔装置によってシステム通話者として使用するための通信リソースを確立する；
前記第１遠隔装置からシステム通話者特権に対する要求を受信する；
前記システム通話者特権を前記第１遠隔装置に認める；
前記第１遠隔装置からトラフィック信号を受信する；
前記トラフィック信号に関するリンク活動をモニタする；
前記リンクが不活動になる場合に、前記第１遠隔装置に対する前記システム通話者特権を否認する。
【請求項１１】
前記リンク活動が所定レベル以下に減少するときに、リンクは不活動と定められる、請求項１０に記載の方法。
【請求項１２】
前記通信リソースを確立する前記ステップの反復を必要とすることなく、前記システム通話者になるためのそれ以降の要求を条件にして、前記第１遠隔装置による使用のために前記通信リソースを受信するステップをさらに具備する、請求項１０に記載の方法。
【請求項１３】
前記トラフィック信号は符号分割多元接続信号である、請求項１０に記載の方法。
【請求項１４】
前記トラフィック信号は時分割多元接続信号である、請求項１０に記載の方法。
【請求項１５】
前記第１遠隔装置に対する、前記システム通話者特権を否認するステップが下記のステップをさらに具備する、請求項１０に記載の方法：
基地局から通信マネージャに、前記システム通話者特権を終了するための代わりの要求を前記第１遠隔装置に送る；
前記通信マネージャから前記基地局へシステム通話者特権の否認を送ることによって、前記代わりの要求に応える；
前記基地局から前記第１遠隔装置にシステム通話者特権の前記否認を送る。
【請求項１６】
下記のステップをさらに具備する、請求項１５に記載の方法：
前記システム通話者特権からの開放を要求するオフ表示を、前記遠隔装置から前記基地局に送る；
前記第１遠隔装置の前記システム通話者特権を終了する要求を、前記基地局から前記通信マネージャに対し、前記オフ表示に応えて送る；
前記通信マネージャから前記基地局に前記否認表示を送る。
【請求項１７】
前記第１遠隔装置からの前記トラフィック信号はフレーム中に編成された可変速度データを具備し、各フレームが事前に選択されたデータ速度のセットのうちの１つを有する、ここにおいて前記モニタするステップが下記のステップをさらに具備する、請求項１０に記載の方法：
前記基地局で、事前に選択されたデータ速度の前記セットのうちの最低のデータ速度での前記トラフィック信号内のフレームの平均数を求める；
前記フレームの平均数が、第１の時間の長さの間に第１しきい値を超える場合に、前記リンク活動が前記所定レベルを下回ると決定する。
【請求項１８】
前記モニタするステップは、下記のステップをさらに具備する請求項１７に記載の方法：
前記基地局で、前記リンク活動の初期存在を検出する；
前記フレームの平均数が、第２の時間の長さの間に第２しきい値を超えるときに、前記リンク活動の前記初期存在を検出後、前記リンク活動が前記所定レベルを下回ったと決定する。
【請求項１９】
前記リンク活動の初期存在を検出する前記ステップは、前記トラフィックチャンネル内で、前記データ速度のうちの前記最低のデータ速度以外のデータ速度でのフレームの数を検出するステップを具備する、請求項１８に記載の方法。
【請求項２０】
下記を具備する、遠隔装置にサービスを提供するように構成されるディスパッチシステム内でデッドロックを妨げるためのシステム：
１セットの他の遠隔装置へ放送送信するために可変速度データを送る、システム通話者として指定された、遠隔装置と；
前記可変速度データを受信し、リンク活動を検出するために前記可変速度データをモニタし、前記可変速度データを前記セットの他の遠隔装置に放送する基地局と、
前記リンク活動が所定レベルを下回る場合に前記基地局から代わりの遠隔装置開放表示信号を受信し、前記遠隔装置に前記可変速度データの送信をやめるように命令できるように、前記遠隔装置への送信のために前記基地局に対し開放表示信号を発行する通信マネージャ。
【請求項２１】
単一の遠隔装置が、時間の任意の時点でシステム通話者として指定されるプッシューツートークシステムにおいてデッドロックを妨げる装置であって，
現在、前記システム通話者として指定されている第１遠隔装置からのリンク活動をモニタするための手段と、
リンク活動の欠如が検出される場合、システム通話者特権の否認を前記第１遠隔装置に送るための手段と、
をさらに具備する、前記装置。
【請求項２２】
前記第１遠隔装置からの信号はフレーム中に編成された可変速度データを具備し、各フレームが事前に選択されたデータ速度のセットのうちの１つを有する、ここにおいて前記モニタするための手段は下記をさらに具備する、請求項２１に記載の装置：
前記事前に選択されたデータ速度の前記セットのうちの最低のデータ速度で前記第１遠隔装置から受信されるフレームの平均数を検出するための手段と；
前記リンク活動の欠如として、第１の時間の長さの間に第１しきい値を超える前記フレームの平均数を検出するための手段。
【請求項２３】
前記モニタするための手段は下記をさらに具備する、請求項２１に記載の装置：
フレームの数が、前記事前に選択されたデータ速度のセットのうちの前記最低のデータ速度以外の速度で受信される場合に、リンク活動の初期存在を検出するための手段と、
前記フレームの平均数が、第２の時間の長さの間に第２しきい値を超える場合に、前記リンク活動の初期存在を検出後、前記リンク活動の欠如を決定するための手段。
【発明の詳細な説明】
【技術分野】
【０００１】
本発明は、概してディスパッチ(diapatch)システムに関し、さらに特定すると 、セルラシステム内のディスパッチシステムの実施に関する。
【背景技術】
【０００２】
無線電話通信システムにおいて、多くのユーザは無線チャンネルによって通信して、他の無線電話システムおよび有線電話システムに接続する。無線チャンネルでの通信は、種々の多元アクセス技法のうちの１つであることができる。これらの多元アクセス技法は、時分割多元接続（ＴＤＭＡ）、周波数分割多元接続（ＦＤＭＡ）および符号分割多元接続（ＣＤＭＡ）を含む。ＣＤＭＡ技法は多くの利点がある。例示的なＣＤＭＡシステムは、本発明の譲受人に譲渡され、ここにおいて参考文献とされている、Ｋ．Ｇｉｌｈｏｕｓｅｎ氏等による米国特許第４，９０１，３０７号［1990年2月13日出願、「衛星中継器または地上中継器を使用するスペクトル拡散多元接続通信システム(SPREAD SPECTRUM MULTIPLE ACCESS COMMUNICATION SYSTEM USING SATELLITE OR TERRESTRIAL REPEATERS)」］に記載されている。
【０００３】
前述の特許では、各々が１つのトランシーバーを有する非常に多くの移動電話システムユーザが、ＣＤＭＡスペクトル拡散通信信号を使用する、衛星中継器、航空機搭載の(airborne)中継器、または地上基地局トランシーバサブシステムを通して通信する多元アクセス技法が開示されている。ＣＤＭＡ通信を使用する上で、周波数スペクトルは、複数回(multiple times)再利用することが可能であり、システムユーザの容量の増加を可能にする。
【０００４】
ＣＤＭＡセルラシステムにおいては、各基地局トランシーバサブシステムは限られた地理的領域にカバレージを提供し、そのカバレージエリア内の遠隔装置(remote units)をセルラシステムスイッチを介して公衆交換電話網（ＰＳＴＮ）にリンクする(links)。
【０００５】
遠隔装置が新しい基地局トランシーバサブシステムのカバレージエリアに移動すると、そのユーザの呼の経路選択(routing)は、その新しい基地局トランシーバサブシステムに転送される。基地局から遠隔装置への信号送信路は順方向リンクと呼ばれ、遠隔装置から基地局への信号送信路は逆方向リンクと呼ばれる。
【０００６】
典型的な無線電話通信網において、遠隔装置は、可変速度フォーマットで音声情報を符号化するボコーディング(vocoding)システムを利用する場合がある。可変速度システムにおいては、データ速度は、音声活動(activity)での休止のために引き下げられることがある。より低いデータ速度は、遠隔装置送信によって引き起こされる他のユーザへの干渉のレベルを低下させる。基地局においては、ボコーディングシステムが、音声情報を再構築する(reconstructing)ために利用される。音声情報に加えて、データ情報だけ、またはその２つの混合が、遠隔装置により送信されることがある。
【０００７】
遠隔装置が送信用にそれ自身のデータを作成しているとき、内蔵ボコーダ(vocoder)は、２０ミリ秒（ｍｓ）フレーム中の音声活動に基づき、例えば、約８，０００ビット／秒（ｂｐｓ）、４，０００ｂｐｓ、２，０００ｂｐｓおよび１，０００ｂｐｓ等の、４つの異なる速度で符号化されたデータを音声情報のデジタルサンプルから生成する。ボコーダデータの各フレームは、９，６００ｂｐｓ、４，８００ｂｐｓ、２，４００ｂｐｓ、および１，２００ｂｐｓデータフレームのようなオーバヘッドビットによりフォーマットされる。９，６００ｂｐｓフレームに相当する最高速度のデータフレームは、「フルレート(full rate)」フレームと呼ばれる。４，８００ ｂｐｓのデータフレームは「ハーフレート(half rate)」フレームと呼ばれる。２，４００ ｂｐｓのデータフレームは、「１／４レート(quarter rate)」フレームと呼ばれる。そして、１，２００ ｂｐｓのデータフレームは「１／８レート(eighth rate)」フレームと呼ばれる。この環境における適用に適しているボコーダは、１９９５年５月９日に発行され、本発明の譲り請け人に譲渡された「可変速度ボコーダ（ＶＡＲＩＡＢＬＥ ＲＡＴＥ ＶＯＣＯＤＥＲ）」と題する米国特許第５，４１４，７９６号に記載されている。遠隔装置は、それが端末装置ユニットのような外部ソースからデータを受信すると、この可変速度フレームフォーマットでそのデータを処理し続ける。
【０００８】
オリジナルのセルラ電話スペクトルライセンスが政府によって発行されたとき、スペクトルの使用に関する制約の１つは、通信事業者がディスパッチサービスを提供できないことであった。しかしながら、ＣＤＭＡシステムの大きな利点と、民間ディスパッチ(dispatch)システムの配備と保守の固有の費用および問題点のため、政府はこの問題を再検討中である。政府自体が、このようなサービスから大きく利益を得るだろう。
【０００９】
典型的な無線電話サービスと有線電話サービスはポイントツーポイント(point-to-point)サービスを提供するが、ディスパッチサービスは１対多数(point-to-many)サービスを提供する。ディスパッチサービスの一般的な使用は、地元警察の無線システム、タクシー急送システム、連邦捜査局および機密調査部の作戦、および一般的な軍事通信システムである。
【００１０】
ディスパッチシステムの基本的なモデルは、ユーザのブロードキャスト(broadcast)ネット(net)から構成されている。各ブロードキャストネットユーザは、１つの共通のブロードキャスト順方向リンク信号をモニタする(monitors)。ネットユーザは、会話をしたいと思うと、プッシューツートーク（ＰＴＴ）(push-to-talk)ボタンを押し、システム通話者(talker)特権(privilege)を認められる。典型的に、送話ユーザの音声は、ブロードキャスト順方向リンク上で逆方向リンクから送られる(routed)。理想的には、ディスパッチシステムにより、システムへの陸線(landline)アクセスと無線アクセスが可能になる。遠隔装置ユーザは、会話を終了すると、ＰＴＴボタンを放す。応えて、遠隔装置は、特権を終了し、システムを他のシステムユーザによる使用のために解放するプッシューツートークオフ表示を作成する。
【００１１】
遠隔装置上のプッシューツートークボタンが止まって動かなくなると（stuck down）、遠隔装置がシステム通話者特権を認められる。システムリソース(resource)は、このようにして拡張され、他の遠隔装置は、止まって動かなくなったプッシューツートークボタンのある遠隔装置がシステムを阻止している(blocking)ため、システムにアクセスするのを妨げられる。この種のシナリオはシステムデッドロック(deadlock)と呼ばれ、これがきわめて望ましくない状態であることは言うまでもない。本発明は、システムデッドロックを検出し、その心身に有害な影響を切り捨てる（truncate）ための方法および機器である。
【発明の概要】
【００１２】
遠隔装置ユーザがプッシューツートークボタンを押すと、通信マネージャ(manager)は遠隔装置にシステム通話者特権を認めることができる。遠隔装置がシステム通話者特権を持っているとき、彼の音声信号は、ディスパッチシステムのメンバーである他の遠隔装置に放送される(broadcast)。遠隔装置ユーザがプッシューツートークボタンを放すと、通信マネージャは、遠隔装置のシステム通話者特権を否認し(deny)、それによってシステムは他の遠隔装置に関して自由にシステム通話者特権を持つことが可能になる。遠隔装置のプッシューツートークボタンが止まって動かなくなると、遠隔装置はシステム通話者特権を保持し、このようにして他の遠隔装置がシステム通話者特権の認可(grant)を得るのを妨げる。本発明は、基地局で遠隔装置から受信される信号の音声活動をモニタする。音声活動が一定のレベルを下回ると、その遠隔装置がシステム通話者特権をもはや必要としていないと仮定され、基地局は、通信マネージャに送られる、プッシューツートークボタンが放された旨の代わりの(surrogate)表示を生成する。このようにして、通信マネージャは、自由にシステム通話者特権を別の遠隔装置に与えることができる。
【図面の簡単な説明】
【００１３】
【図１】典型的なディスパッチシステムのブロック図。
【図２】本発明を実施するための例示的なステップのセットを示すフローチャート。
【発明を実施するための形態】
【００１４】
本発明の特徴、目的および利点は、図面といっしょに解釈されるときに、以下に述べられる詳細な説明からさらに明らかになるだろう。  
図１は、典型的なディスパッチシステムを示す。好ましい実施形態においては、遠隔装置１０、２０、２２および２４がディスパッチ装置とポイントツーポイント電話の両方として機能することができる。図１では、遠隔装置１０は現在活動中であり、遠隔装置２０、２２、および２４は現在受動の(passive)リスナー(listeners)である。基地局アンテナ３０、３２、および３４は、ブロードキャスト(broadcast)順方向リンクチャンネルを遠隔装置２０、２２、および２４に提供することがある。基地局アンテナ３０は、専用の順方向トラフィックチャンネルと逆方向トラフィックチャンネルを遠隔装置１０との間で送受信する。専用のトラフィックチャンネルは、例えば、遠隔装置１０が、電力制御コマンドのような他の遠隔装置特殊シグナリング情報(signaling information)を受信できるという点を除き、順方向リンクブロードキャストチャンネルに類似している。移動交換センタ（ＭＳＣ）３８は、基地局トランシーバサブシステム４４、４８、および５０を備える、基地局トランシーバサブシステムのセットへの、および基地局トランシーバサブシステムのセットからのシグナリングを調整する。基地局アンテナ３０、３２、および３４、ならびに基地局トランシーバサブシステム４４、４８および５０、ならびにＭＳＣ３８を備えるそのシステムが基地局２８と呼ばれる。通信マネージャ４０は、そのユーザが「プッシューツートーク」（ＰＴＴ）ボタンを押した遠隔装置に対しシステム通話者特権を認めることなどのネットを管理する。好ましい実施形態において、エアインタフェース(air interface)シグナリングおよび変調は、通常単にＩＳ−９５と呼ばれる「デュアルモード広帯域スペクトル拡散セルラシステム用移動局−基地局互換性標準規格（Ｍｏｂｉｌｅ Ｓｔａｔｉｏｎ−Ｂａｓｅ Ｓｔａｔｉｏｎ Ｃｏｍｐａｔｉｂｉｌｉｔｙ Ｓｔａｎｄａｒｄ ｆｏｒ Ｄｕａｌ−Ｍｏｄｅ Ｗｉｄｅｂａｎｄ Ｓｐｒｅａｄ Ｓｐｅｃｔｒｕｍ Ｃｅｌｌｕｌａｒ Ｓｙｓｔｅｍｓ）」ＴＩＡ／ＥＩＡ／ＩＳ−９５に記載されている符号分割多元接続（ＣＤＭＡ）システムに準拠している。ＩＳ−９５では、遠隔装置は移動局と呼ばれる。
【００１５】
基地局トランシーバサブシステムが、例えば３つのセクタにセクタ化されることがあることが技術上周知である。基地局または基地局トランシーバサブシステムという用語がここに使用される場合、その用語は、基地局トランシーバサブシステム全体または基地局トランシーバサブシステムの単一のセクタを指すことがあることが暗示される。
【００１６】
図１においては、活動中の遠隔装置１０は、基地局トランシーバサブシステム４４との確立された双方向リンクを有している。活動状態になるために、遠隔装置１０は、トラフィックチャンネルを要求するアクセスチャンネルメッセージを、基地局トランシーバサブシステム４４に送る。アクセスメッセージは、アクセスチャンネル上で送られる。アクセスチャンネルは、基地局に通信するために、遠隔装置により使用される逆方向リンクチャンネルである。アクセスチャンネルは、共用されるスロット付き(slotted)ランダムアクセスチャンネルである。周波数チャンネル毎の基地局トランシーバサブシステムセクタごとに１つの遠隔装置だけが、一時にアクセスチャンネルを成功的に使用することができる。アクセスチャンネルは、発呼、ページへの応答および登録のような短いシグナリングメッセージ交換に使用される。アクセスの試みは、一連のアクセスプローブ(access probe)で遠隔装置により送られる。各アクセスプローブは同じ情報を搬送するが、前の電力レベルより高い電力レベルで送信される。アクセスプローブは、基地局肯定応答が遠隔装置で受信されるまで続行する。
【００１７】
遠隔装置１０は、それが通信リンクを確立したとき、専用順方向リンクトラフィックチャンネル上で順方向ブロードキャストチャンネルに存在するシグナリングを受信する。このようにして、遠隔装置１０は、順方向リンクブロードキャストチャンネルをモニタしないが、それはそれ自身の専用順方向リンクトラフィックチャンネル上でディスパッチシステム情報のすべてを受信する。遠隔装置１０は、専用の逆方向チャンネルで基地局トランシーバサブシステム４４に通信し返す。遠隔装置１０はそれ自身の専用順方向リンク信号経路(path)を有しているため、遠隔装置特殊メッセージング(messaging)がシグナリングに含まれてもよい。例えば、遠隔装置１０がディスパッチシステム遠隔装置およびポイントツーポイント電話装置の両方として動作できる場合、遠隔装置１０は、順方向リンクトラフィックチャンネル上で、入ってきたポイントツーポイント呼が遠隔装置１０に向けられている旨を通知される可能性がある。
【００１８】
他方、図１においては、受動遠隔装置２０、２２および２４は、基地局トランシーバサブシステムの任意のものへの確立された逆方向リンク信号を持たない。遠隔装置２０、２２、および２４は受動であっても、それらは依然としてアクセスチャンネルを使用して基地局と通信することができる。好ましい実施形態において、受動遠隔装置２０、２２および２４はアクセスチャンネルを使用して、それらが順方向リンクブロードキャストチャンネルからさらに多くの電力を必要としているかどうかを基地局トランシーバサブシステムに信号で知らせる(signal)。基地局トランシーバサブシステムは、電力要求アクセスメッセージに応えて、順方向リンクブロードキャストチャンネルの送信電力レベルを増加することがある。
【００１９】
標準ＣＤＭＡシステムでは、遠隔装置が活動状態になるようにリソースを割り当てるプロセスは、実質的な量の処理リソースだけではなく、数秒を要する可能性がある。システムリソースを保存し、関連する遅延を回避するために、好ましい実施形態においては、遠隔装置がプッシューツートークボタンを押すと、１組のリソースが割り当てられる。遠隔装置がプッシューツートークボタンを放すと、リソースはある時間の期間の間その遠隔装置専用のままとなる。ユーザがプッシューツートークボタンを押していない時間中、遠隔装置は活動状態と指示され、ハングしている(hanging)と言われている。ハングしている遠隔装置は、低速の一連のアイドル(idle)メッセージを送受信し、リンク電力制御を保存する。このようにして、遠隔装置ユーザがその後プッシューツートークボタンを押すと、リンクは完全に確立され、ただちに応答する。この種の動作は、ディスパッチシステムの自然ダイアログの使用に適合する。プッシューツートーク起動(activations)間の休止がしきい値を超えると、リソースが開放(release)されることができる。リソースが開放された後、遠隔装置は、アクセスチャンネルで発信(origination)メッセージを送って接続(connection)を確立し直さなければならない。任意の一時に１つの遠隔装置だけが会話できることは真実であるが、２以上の遠隔装置が活動状態である可能性もある。
【００２０】
上述されたシステムの動作は、標準プッシューツートーク動作とはかなり異なる可能性がある。典型的なプッシューツートークシステムは、１つの共通した周波数または２つの周波数のセットを使用して実施される。遠隔装置ユーザは、ひとたびプッシューツートークボタンを押すと、彼は共通の周波数で送信中となるので、他のすべてがそのチャンネルにアクセスするのを阻止している(block)。また、そのユーザは、別のユーザが最初に話していたときにさえ、自分のプッシューツートークボタンを押すことによりそのチャンネルを阻止する。通常、通話者が会話中、その人の受信機はディスエーブルされ、フィードバックを回避する。このようにして、遠隔装置ユーザがプッシューツートークボタンを押し、その人の受信機がディスエーブルされると、そのユーザには自分自身の声が聞こえないだろう。したがって、１つの装置のプッシューツートークボタンが止まって動かない場合、他のユーザがそのシステムにアクセスできないだけではなく、ユーザ一自身も、オーバーライディング(overriding)メッセージが送信されても警告(warning)メッセージを聞くことができない可能性がある。
【００２１】
標準プッシューツートークシステムでは、システム通話者特権の要求およびシステム通話者特権の対応する認可はない。また、遠隔装置がプッシューツートークボタンを押した後にシステム通話者特権を否認する方法はない。また、典型的なシステムにおいては、音声活動を検出するのは困難である。本発明はかなり異なっている。好ましい実施形態において、ＣＤＭＡ多元接続技法が使用される。（別の実施形態においては、他の多元接続技法が使用されることもある）。ＣＤＭＡシステムにおいては、２以上の遠隔装置が同時に同じ周波数で送信してもよい。遠隔装置が連続的に送信しても、領域内の他の遠隔装置は、アクセスチャンネル、専用トラフィックチャンネルおよび順方向リンクブロードキャストチャンネル上で、ならびにその他のもので通信するために同じ周波数を使用することが可能なままである。また、遠隔装置が送話中であり、逆方向リンクトラフィックチャンネル信号を発生している間、それは順方向リンクトラフィックチャンネル信号を受信し続けることにも注意されたい。遠隔装置ユーザの音声が順方向リンクトラフィックチャンネル信号中に含まれない場合、遠隔装置上の話者は、遠隔装置がシステム通話者として指示されている間はイネーブル(enabled)のままとなる。このようにして、特権のある装置は、その人のプッシューツートークボタンが押されているときでも、その遠隔装置に音声メッセージを発生することができる。
【００２２】
ユーザが最初にプッシューツートークボタンを押すと、ＰＴＴ＿オン表示が遠隔装置から基地局へ送られる。ユーザがプッシューツートークボタンを放すと、ＰＴＴ＿オフ表示は遠隔装置から基地局へ送られる。通常、ＰＴＴ＿オフ表示が受信されるまで、他のユーザがプッシューツートークアクセスを認められる可能性はない。本発明の１つの観点は、ＰＴＴ＿オフ表示が送信されないようにプッシューツートークボタンが誤動作する(malfunctions)状況に対処するものである。
【００２３】
好ましい実施形態においては、遠隔装置は多重速度(multirate)ボコーダを備える。多重速度ボコーダは、音声またはデータ活動が最小限に抑えられるときには低速で送信し、レベル音声またはデータ活動が高いときにはより高い速度で送信する。好ましい実施形態においては、内蔵ボコーダが、２０ミリ秒（ｍｓ）フレームの間の音声活動に基づき、例えば約８，０００ビット／秒（ｂｐｓ）、４，０００ｂｐｓ、２，０００ｂｐｓ、および１，０００ｂｐｓという４つの異なる速度で、音声情報のデジタルサンプルから符号化されたデータを生成する。ボコーダデータの各フレームは、９，６００ｂｐｓ、４，８００ｂｐｓ、２，４００ｂｐｓ、および１，２００ｂｐｓデータフレームのようなオーバヘッドビットによりフォーマットされる。９，６００ｂｐｓフレームに相当する最高速度のデータフレームが「フルレート」フレームと呼ばれる。４，８００ｂｐｓのデータフレームが「ハーフレート」フレームと呼ばれる。２，４００ｂｐｓのデータフレームは「１／４レート」フレームと呼ばれる。そして、１，２００ｂｐｓのデータフレームが「１／８レート」フレームと呼ばれる。この環境での適用に適するボコーダは、本発明の譲受人に譲渡された米国特許第５，４１４，７９６号［１９９５年５月９日出願、「可変速度ボコーダ（ＶＡＲＩＡＬＥ ＲＡＴＥ ＶＯＣＯＤＥＲ）」］に記載されている。遠隔装置が端末装置ユニットのような外部ソースからデータを受信するときでも、遠隔装置は、可変速度フレームフォーマットでデータの処理を続行する。本発明は、最小のリンクデータが存在する場合には、ボコーダが１／８レートフレームを送ることを利用することができる。
【００２４】
本発明が対処する２つの異なるシナリオがある。第１のシナリオでは、ユーザはプッシューツートークボタンを押す。遠隔装置はＰＴＴ＿オン表示を送り、チャンネル割当てを受信する。ただし、意図的にまたは偶発的に、ユーザは話さない。さらに、ＰＴＴ＿オフ表示は基地局で受信されない。基地局は、ユーザがプッシューツートークボタンを放さない場合にはＰＴＴ＿オフ表示を受信しない可能性がある。基地局は、ボタンが止まって動かない場合または遠隔装置がそれ以外の場合に誤動作している場合には、ＰＴＴ＿オフ表示を受信しない可能性がある。
【００２５】
類似しているが、わずかに異なる第２のシナリオでは、ユーザはプッシューツートークボタンを押す。遠隔装置はＰＴＴ＿オン表示を送り、チャンネル割当てを受信する。ユーザは話し、音声トラフィックを他のネットメンバーに送る。ただし、意図的にまたは偶発的に、ユーザは、延長された時間期間のあいだ、話すのを止める。再び、ＰＴＴ＿オフ表示は基地局で受信されない。基地局は、ユーザがプッシューツートークボタンを放さない場合、ＰＴＴ＿オフ表示を受信しない可能性がある。基地局は、ボタンが止まって動かない場合、または遠隔装置がそれ以外の場合に誤動作している場合には、ＰＴＴ＿オフ表示を受信しない可能性がある。
【００２６】
どちらのシナリオにおいても、そのネットのメンバーの一人がさらに高い優先順位ユーザと指定されておらず、誤った遠隔装置を「中断(interrupt)」できない限り、システムはデッドロック状態となる。このような場合、ネット上の他の遠隔装置は「通話者」になることはできず、したがってネットワークをディスエーブルする。本発明は、リンク（音声またはデータ）活動をモニタすることによってこのようなデッドロックを防止する。本発明は、この譲受人に譲渡される米国特許出願連続第０８／６７１，１３２号［１９９６年６月２４日出願、「アクセス調整およびディスパッチシステムのシステム保護のための方法および装置（ＭＥＴＨＯＤ ＡＮＤ ＡＰＰＲＡＴＵＳ ＦＯＲ ＡＣＣＥＳＳ ＲＥＧＵＬＡＴＩＯＮ ＡＮＤ ＳＹＳＴＥＭ ＰＲＯＴＥＣＴＩＯＮ ＯＦ Ａ ＤＩＳＰＡＴＣＨ ＳＹＳＴＥＭ）」］、およびこの譲請け人に譲渡される米国特許出願連続第０８／６７１，１３１号［１９９６年６月２４日出願、「ディスパッチシステムでの効率的なシステムアクセスのための方法および装置（ＭＥＴＨＯＤＤ ＡＮＤ ＡＰＰＲＡＴＵＳ ＦＯＲ ＥＦＦＩＣＩＥＮＴ ＳＹＳＴＥＭ ＡＣＣＥＳＳ ＩＮ Ａ ＤＩＳＰＡＴＣＨ ＳＹＳＴＥＭ）」］に記載されているもののような、デッドロックを防止し、システムアクセスを調整(regulate)するための他のメカニズム(mechanisms)と共に使用されることができる。
【００２７】
リンク活動を検出する複数の方法がある。上述したものに類似するボコーダが使用されると、ある時間の期間にわたって受信される低速フレームの平均数が求められる。この方法は、データ送信にも適用可能である。このようにして、バックグラウンド雑音によりときおりさらに高速のフレームが生じる場合、有効な連続音声信号の欠如は依然として検出される。他の固定した速度のデジタルボコーダは、オーディオ信号が音声であるか、あるいは非音声雑音であるかに依存して、異なる符号化方法を使用してもよい。基地局は、リンク活動を検出するために信号を符号化するために使用される符号化のタイプの表示をモニタしてもよい。別の方式は、符号化された信号のスペクトル内容をモニタして、音声の存在または不在を決定することができる。データ接続上におけるデータの不在は検出がはるかに容易なことがある。たとえば、基地局は、ビットの総数に比較して、値「１」を有するビットの平均数または入ってくる信号の推移(transitions)を単に見ればよい。
【００２８】
図２は、本発明の基本的な動作が説明されるフローチャートである。好ましい実施形態においては、システムは基地局２８（図１の）により実行される。このシステムはＭＳＣ３８（図１の）内に位置している可能性が非常に高く、一方それら動作のいくつかは基地局トランシーバサブシステム内において行われ得る。きわめて一般的な実施形態において、システムは、通信システムの任意の部分に配置されている可能性がある。図２に示されているシステムは、システム通話者特権が認められる遠隔装置ごとに一度実行される。
【００２９】
開始ブロック１００から、動作は、システム通話者特権の認可が遠隔装置に関して受信されると開始する、ブロック１０２。このような認可は、典型的に、遠隔装置から受信されるＰＴＴ＿オン表示に応えている。２つのカウントは、やはりブロック１０２で初期値に設定される。第１データが遠隔装置から基地局に転送されると、基地局は、アクティブな(active)音声またはデータの通信の受信を示すほど十分なリンク活動があるか否かを決定する、ブロック１０６。ない場合には、Ｔ１カウントは増分され、時間の経過を反映する、ブロック１０８。ブロック１１０は、システム通話者特権の否認(denial)が受信されたかどうかを尋ねる。遠隔装置がプッシューツートークボタンを放す場合、または遠隔装置が別の遠隔装置によって中断される場合に、このような否認が受信されることがある。否認が受信された場合、フローはブロック１１４で終了する。否認が受信されなかった場合は、フローはブロック１１２に続行する。ブロック１１２においてＴ１カウントがしきい値１のしきい値を超えない場合、フローはブロック１０６に戻って、続行する。ブロック１１２においてＴ１カウントがしきい値１のしきい値を超えると、基地局が代わりのＰＴＴ＿オフ表示を作成し、通信マネージャに送信し、ブロック１３４、それによって、他の遠隔装置による使用のためにシステムを解放する。
【００３０】
リンク活動がブロック１０６で検出されると、上記の第２のシナリオを扱うフローチャートの第２段階(phase)に入る。データが遠隔装置から基地局に転送され続けると、ブロック１１６はリンク活動に関してモニタする。アクティブな音声またはデータ通信の受信を示すほど十分なリンク活動がない場合、ブロック１１８で、Ｔ２カウントは増分され、時間の通過を反映する。ブロック１２０は、システム通話者特権の否認が受信されたかどうか尋ねる。否認が受信された場合、フローはブロック１２８で終了する。否認が受信されなかった場合、フローがブロック１２２に続行する。ブロック１２２でＴ２カウントがしきい値２のしきい値を超えない場合、フローはブロック１１６に戻って続行する。ブロック１２２でＴ２カウントがしきい値２のしきい値を超えると、基地局は代わりのＰＴＴ＿オフ表示を発生し、通信マネージャに送信し、ブロック１３４、それによって他の遠隔装置による使用のためにシステムを解放し、フローはブロック１３８で終了する。ブロック１１６でリンク活動が検出されると、Ｔ２カウントはリセットされる、ブロック１２６。ブロック１３０は、システム通話者特権の否認が受信されたかどうか尋ねる。否認が受信された場合には、ブロック１３６でフローは終了する。否認が受信されなかった場合、フローはブロック１１６に続行する。
【００３１】
リンク活動を検出するためのブロック１０６と１１６で配備されるメカニズムは、同じまたは異なる可能性がある。リンク検出メカニズムの１例は、ある定った期間にわたって受信される低速フレームの平均数をカウントすることである。このようにして、バックグラウンド雑音のせいでときおりさらに高い速度のフレームが生じる場合、有効な連続する音声信号の欠如は依然として検出される。好ましい実施形態においては、ボコーダフレームは、２０ｍｓｅｃあたり１という速度で無線で(over the air)転送される。ブロック１０６と１１６のメカニズムは、１６個の連続するフレームをモニタすることがある。フレームの１６のうちの１５が１／８レートデータを有する場合、リンク活動はアクティブな使用を示すほど十分ではない。
【００３２】
基地局が通信マネージャに代わりのＰＴＴ＿オフ表示を送ると、通信マネージャは、代わりの表示を遠隔装置から直接受信されるＰＴＴ＿オフ表示と区別できることもあれば、できないこともある。通信マネージャは、代わりのＰＴＴ＿オフ表示を受信すると、遠隔装置にシステム通話者特権の否認を送信することにより応答することがある。通信マネージャが代わりのＰＴＴ＿オフ表示と遠隔装置によって作成されたＰＴＴ＿オフ表示を区別できない場合、通信マネージャは、それが受信するあらゆるＰＴＴ＿オフ表示に応えて否認を送信する可能性がある。送信マネージャは、その２つを区別できる場合、代わりのＰＴＴ＿オフが受信されるときだけ否認を送る必要がある。好ましい実施形態においては、否認は、遠隔装置に逆方向リンクトラフィックチャンネル上で送られる。遠隔装置は、否認に応えて、アクティブ音声信号を送信するのを停止し、不活動(inactive)になるか、あるいはハング状態に入るかのどちらかである。遠隔装置は、ユーザに警告する(alerting)か、あるいは是正処置を講じることによって応答することがある。
【００３３】
図２に示されるフローチャートが何を行うために動作するのかに注意されたい。通常、ブロック１０６、１０８、１１０および１１２から成る一番上のループは、第１シナリオに関係する。一番上のループは、アクティブな音声またはデータ通信が受信されるまでリンク活動をモニタする。上部ループが終了すると、一般的にはブロック１１６、１１８、１２０および１２２から成る下部ループは第２シナリオに関係する。下部ループは、呼が進行するにつれて入ってくる信号のリンク活動をモニタし続ける。しきい値１としきい値２の値が同じ値である必要がないことに注意されたい。これらの値が同じ値として選択されると、ループは単一ループに崩壊する(collapses)。もっとも一般的な状況においては、しきい値１は、しきい値２より小さい値を有する。ユーザが最初にプッシューツートークボタンを押す場合、それは、そのユーザは何かと通信することを望んでいるからあると仮定される。そのユーザがただちにメッセージを通信し始めない場合、それは、おそらく、エラーあるいはシステムをデッドロックしようとする意図的な試みがあったためである。ユーザが話し始めると、そのユーザは会話中休止することがあり得ると仮定されるため、しきい値２は長いものとなる。しきい値１は、５−１０秒のような値を有することがある。しきい値２は１０−２０秒のような値値を有することがある。
【００３４】
もっとも一般的な実現例においては、本発明は、システムデッドロックを防ぐためにプッシューツートークシステム内の音声またはデータ情報の不在をモニタするための方法および装置である。言うまでもなく、図２に示される一般的な原則は、非常に多数の異なる実施例に適用できるだろう。例えば、最低速度のフレームは別の実施例では１／８レートフレームでなくてもよい。本発明は、マイクロフォンまたは他の音声経路構成要素(component)が遠隔装置で故障し、そのために音声信号がその遠隔装置から送信されなかった場合にもデッドロックを防止する。本発明の技術的範囲内の多くの変形および実施がある。実施は、本発明のすべての要素を含む可能性があるが、図２のフローチャートに必ずしも従わない。例えば、任意の時点で基地局が遠隔装置からＰＴＴ＿オフ表示を受信すると、フローチャートプロセス全体が打切られる(aborted)という事実が、前記図で明白である。明らかに、同じ効果は、定期的な問合せ(inquiry)よりむしろ中断を使用することにより達成できるだろう。また、ブロックを、システムの動作に影響を与えずにフロー内において並べ直すことができる。また、この明細書本文が「遠隔」装置を指す場合でも、装置のうちのいくつかは有線装置である可能性もあることにも注意する。
【００３５】
好ましい実施形態に関する前記説明は、当業者が本発明を作るまたは使用することができるようにするために提供される。これらの実施例に対する多様な修正は、当業者にとって容易に明らかとなり、ここに定められる一般的な原則は、本発明の能力を使用しなくても他の実施例に適用できる。従って、本発明はここに示される実施例に限られるのではなく、ここに開示される原則と新規特徴に一致するもっとも広い範囲を与えられなければならない。
【図１】
2010068539.tif 000003
【図２】
2010068539.tif 000004
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
ある時点で１人のユーザがシステム通話者特権を許可されるユーザの放送網を有するプッシュツートークディスパッチシステムでデッドロックを妨げる方法であって、
システム通話者特権を現在有する遠隔装置からの逆方向リンクトラフィック信号をモニタする、
リンク活動の欠如が前記逆方向リンクトラフィックチャネルで検出された場合に、前記遠隔装置から前記システム通話者特権を取り消す、ステップを具備する上記方法、
ここにおいて、前記逆方向リンクトラフィック信号はデジタルデータを有し、前記モニタするステップは下記を具備する、
受信されたデジタルデータの総数と比較して、前記デジタルデータの
「１」という論理状態の発生の平均数を求める、及び
前記発生の平均数に基づいて前記リンク活動の欠如を判断する。
【請求項２】
ある時点で１人のユーザがシステム通話者特権を許可されるユーザの放送網を有するプッシュツートークディスパッチシステムでデッドロックを妨げる方法であって、
システム通話者特権を現在有する遠隔装置からの逆方向リンクトラフィック信号をモニタする、
リンク活動の欠如が前記逆方向リンクトラフィックチャネルで検出された場合に、前記遠隔装置から前記システム通話者特権を取り消す、ステップを具備する上記方法、
ここにおいて、前記逆方向リンクトラフィック信号はデジタルデータを有し、前記モニタするステップは、下記を具備する、
前記デジタルデータの遷移の回数を調べる、
前記遷移の回数に基づいて前記リンク活動の欠如を判断する。
【請求項３】
ある時点で１人のユーザがシステム通話者特権を許可されるユーザの放送網を有するプッシュツートークディスパッチシステムでデッドロックを妨げる方法であって、
システム通話者特権を現在有する遠隔装置からの逆方向リンクトラフィック信号をモニタする、
リンク活動の欠如が前記逆方向リンクトラフィックチャネルで検出された場合に、前記遠隔装置から前記システム通話者特権を取り消す、ステップを具備する上記方法、
ここにおいて、前記逆方向リンクトラフィック信号はフレーム内に編成された可変速度データを有し、各フレームは１セットの事前に選択されたデータ速度の１つを有しており、
前記モニタするステップは下記を具備する、
前記１セットの事前に選択されたデータ速度の最低のもので前記逆方
向リンクトラフィック信号内のフレームの平均数を求める、
第１の所定の時間の長さのフレームの前記平均数に基づいて前記リン
ク活動の欠如を判断する。
【請求項４】
逆方向リンクトラフィック信号をモニタするステップが第１の位置で実行される請求項１に記載の方法であって、
前記システム通話者特権を取り消すための代わりの要求を第１の位置から通信マネージャへ送信する、
前記代わりの要求に基づいて前記遠隔装置から前記システム通話者特権を取り消す、及び
システム通話者特権の取り消しを前記遠隔装置に送信する、
ステップをさらに具備する請求項１乃至３のいずれかに記載の方法。
【請求項５】
ある時点で１人のユーザがシステム通話者特権を認められるユーザの放送網を有するプッシュツートークディスパッチシステムでデッドロックを妨げる装置であって、
遠隔装置に対するシステム通話者特権を許可または取り消し、前記第１の遠隔装置から前記システム通話者特権を取り消すための代わりの要求を受信し、代わりの要求の受信に応答して遠隔装置からシステム通話者特権を取り消す通信マネージャを有する上記装置、ここにおいて、通信マネージャーが前記システム通話者特権を許可または取り消すことは、システム通話者特権を現在有する遠隔装置からの逆方向リンクトラフィック信号をモニタし、リンク活動の欠如が前記逆方向リンクトラフイックチャネルで検出された場合に、実施される、
ここにおいて、前記逆方向リンクトラフィック信号はデジタルデータを有し、前記モニタするステップは下記を具備する、
受信されたデジタルデータの総数と比較して、前記デジタルデータの  
「１」という論理状態の発生の平均数を求める、及び
前記発生の平均数に基づいて前記リンク活動の欠如を判断する。
【請求項６】
ある時点で１人のユーザがシステム通話者特権を認められるユーザの放送網を有するプッシュツートークディスパッチシステムでデッドロックを妨げる装置であって、
遠隔装置に対するシステム通話者特権を許可または取り消し、前記第１の遠隔装置から前記システム通話者特権を取り消すための代わりの要求を受信し、代わりの要求の受信に応答して遠隔装置からシステム通話者特権を取り消す通信マネージャを有する上記装置、ここにおいて、通信マネージャーが前記システム通話者特権を許可または取り消すことは、システム通話者特権を現在有する遠隔装置からの逆方向リンクトラフィック信号をモニタし、リンク活動の欠如が前記逆方向リンクトラフイックチャネルで検出された場合に、実施される、
ここにおいて、前記逆方向リンクトラフィック信号はデジタルデータを有し、前記モニタすることは、前記デジタルデータの遷移の回数を調べ、前記遷移の回数に基づいて前記リンク活動の欠如を判断する。
【請求項７】
ある時点で１人のユーザがシステム通話者特権を認められるユーザの放送網を有するプッシュツートークディスパッチシステムでデッドロックを妨げる装置であって、
遠隔装置に対するシステム通話者特権を許可または取り消し、前記第１の遠隔装置から前記システム通話者特権を取り消すための代わりの要求を受信し、代わりの要求の受信に応答して遠隔装置からシステム通話者特権を取り消す通信マネージャを有する上記装置、
ここにおいて、通信マネージャーが前記システム通話者特権を許可または取り消すことは、システム通話者特権を現在有する遠隔装置からの逆方向リンクトラフィック信号をモニタし、リンク活動の欠如が前記逆方向リンクトラフイックチャネルで検出された場合に、実施される、
ここにおいて、前記逆方向リンクトラフィック信号はフレーム内に編成された可変速度データを有し、各フレームは１セットの事前に選択されたデータ速度の１つを有しており、前記モニタすることは、前記１セットの事前に選択されたデータ速度の最低のもので前記逆方向リンクトラフィック信号内のフレームの平均数を求め、第１の所定の時間の長さのフレームの前記平均数に基づいて前記リンク活動の欠如を判断する。
【請求項８】
通信マネージャはさらに、システム通話者特権が取り消されたことを遠隔装置に通知する開放表示信号を遠隔装置と通信する基地局に送信する請求項５乃至７のいずれかに記載の装置。
【請求項９】
遠隔装置からのリンク活動が所定レベルを下回るときに、遠隔装置と通信する基地局から代わりの要求が送信される請求項５乃至７のいずれかに記載の装置。
【請求項１０】
ある時点で１人のユーザがシステム通話者特権を許可されるユーザの放送網を有するプッシュツートークディスパッチシステムでデッドロックを妨げる装置であって、
遠隔装置に対するシステム通話者特権を許可および取り消し、前記第１の遠隔装置から前記システム通話者特権を取り消すための代わりの要求を受信し、代わりの要求の受信に応答して遠隔装置からシステム通話者特権を取り消す手段を具備する上記装置、
ここにおいて、通信マネージャーが前記システム通話者特権を許可または取り消すことは、システム通話者特権を現在有する遠隔装置からの逆方向リンクトラフィック信号をモニタし、リンク活動の欠如が前記逆方向リンクトラフイックチャネルで検出された場合に、実施される、
ここにおいて、前記逆方向リンクトラフィック信号はデジタルデータを有し、前記モニタするステップは下記を具備する、
受信されたデジタルデータの総数と比較して、前記デジタルデータの
「１」という論理状態の発生の平均数を求める、及び
前記発生の平均数に基づいて前記リンク活動の欠如を判断する。
【請求項１１】
ある時点で１人のユーザがシステム通話者特権を許可されるユーザの放送網を有するプッシュツートークディスパッチシステムでデッドロックを妨げる装置であって、
遠隔装置に対するシステム通話者特権を許可および取り消し、前記第１の遠隔装置から前記システム通話者特権を取り消すための代わりの要求を受信し、代わりの要求の受信に応答して遠隔装置からシステム通話者特権を取り消す手段を具備する上記装置、
ここにおいて、通信マネージャーが前記システム通話者特権を許可または取り消すことは、システム通話者特権を現在有する遠隔装置からの逆方向リンクトラフィック信号をモニタし、リンク活動の欠如が前記逆方向リンクトラフイックチャネルで検出された場合に、実施される、
ここにおいて、前記逆方向リンクトラフィック信号はデジタルデータを有し、前記モニタすることは、前記デジタルデータの遷移の回数を調べ、前記遷移の回数に基づいて前記リンク活動の欠如を判断する。
【請求項１２】
ある時点で１人のユーザがシステム通話者特権を許可されるユーザの放送網を有するプッシュツートークディスパッチシステムでデッドロックを妨げる装置であって、
遠隔装置に対するシステム通話者特権を許可および取り消し、前記第１の遠隔装置から前記システム通話者特権を取り消すための代わりの要求を受信し、代わりの要求の受信に応答して遠隔装置からシステム通話者特権を取り消す手段を具備する上記装置、
ここにおいて、通信マネージャーが前記システム通話者特権を許可または取り消すことは、システム通話者特権を現在有する遠隔装置からの逆方向リンクトラフィック信号をモニタし、リンク活動の欠如が前記逆方向リンクトラフイックチャネルで検出された場合に、実施される、
ここにおいて、前記逆方向リンクトラフィック信号はフレーム内に編成された可変速度データを有し、各フレームは１セットの事前に選択されたデータ速度の１つを有しており、前記モニタすることは、前記１セットの事前に選択されたデータ速度の最低のもので前記逆方向リンクトラフィック信号内のフレームの平均数を求め、第１の所定の時間の長さのフレームの前記平均数に基づいて前記リンク活動の欠如を判断する。
【請求項１３】
前記手段はさらに、システム通話者特権が取り消されたことを遠隔装置に通知する開放表示信号を遠隔装置と通信する基地局に送信する請求項１０乃至１２のいずれかに記載の装置。
【請求項１４】
遠隔装置からのリンク活動が所定レベルを下回るときに、遠隔装置と通信する基地局から代わりの要求が送信される請求項１０乃至１２のいずれかに記載の装置。
【請求項１５】
ある時点で１人のユーザがシステム通話者特権を許可されるユーザの放送網を有するプッシュツートークディスパッチシステムでデッドロックを妨げる方法であって、
システム通話者特権を現在有する遠隔装置からの逆方向リンクトラフィック信号をモニタする、
リンク活動の欠如が前記逆方向リンクトラフィックチャネルで検出された場合に、チャネル割り当てを打ち切らずに前記遠隔装置から前記システム通話者特権を取り消す、
ステップを具備する上記方法、ここにおいて、前記逆方向リンクトラフィック信号はデジタルデータを有し、前記モニタするステップは下記を具備する、
受信されたデジタルデータの総数と比較して、前記デジタルデータの
「１」という論理状態の発生の平均数を求める、及び
前記発生の平均数に基づいて前記リンク活動の欠如を判断する。
【請求項１６】
ある時点で１人のユーザがシステム通話者特権を許可されるユーザの放送網を有するプッシュツートークディスパッチシステムでデッドロックを妨げる方法であって、
システム通話者特権を現在有する遠隔装置からの逆方向リンクトラフィック信号をモニタする、
リンク活動の欠如が前記逆方向リンクトラフィックチャネルで検出された場合に、チャネル割り当てを打ち切らずに前記遠隔装置から前記システム通話者特権を取り消す、
ステップを具備する上記方法、
ここにおいて、前記逆方向リンクトラフィック信号はデジタルデータを有し、前記モニタすることは、前記デジタルデータの遷移の回数を調べ、前記遷移の回数に基づいて前記リンク活動の欠如を判断する。
【請求項１７】
ある時点で１人のユーザがシステム通話者特権を許可されるユーザの放送網を有するプッシュツートークディスパッチシステムでデッドロックを妨げる方法であって、
システム通話者特権を現在有する遠隔装置からの逆方向リンクトラフィック信号をモニタする、
リンク活動の欠如が前記逆方向リンクトラフィックチャネルで検出された場合に、チャネル割り当てを打ち切らずに前記遠隔装置から前記システム通話者特権を取り消す、
ステップを具備する上記方法、
ここにおいて、前記逆方向リンクトラフィック信号はフレーム内に編成された可変速度データを有し、各フレームは１セットの事前に選択されたデータ速度の１つを有しており、前記モニタすることは、前記１セットの事前に選択されたデータ速度の最低のもので前記逆方向リンクトラフィック信号内のフレームの平均数を求め、第１の所定の時間の長さのフレームの前記平均数に基づいて前記リンク活動の欠如を判断する。
【手続補正２】
【補正対象書類名】明細書
【補正対象項目名】００３５
【補正方法】変更
【補正の内容】
【００３５】
好ましい実施形態に関する前記説明は、当業者が本発明を作るまたは使用することができるようにするために提供される。これらの実施例に対する多様な修正は、当業者にとって容易に明らかとなり、ここに定められる一般的な原則は、本発明の能力を使用しなくても他の実施例に適用できる。従って、本発明はここに示される実施例に限られるのではなく、ここに開示される原則と新規特徴に一致するもっとも広い範囲を与えられなければならない。  
以下に、本願出願の当初の特許請求の範囲に記載された発明を付記する。
［１］下記のステップを具備する、１セットの遠隔装置が、一度に１つ放送することにより互いに通信するディスパッチシステムにおけるデッドロックを妨げるための方法：
基地局で遠隔装置から、システム通話者になる要求を受信する；
前記基地局で、通信マネージャから、前記遠隔装置のシステム通話者になる認可を受信する；
前記基地局で前記遠隔装置から一連のデータをモニタし、音声活動を検出する；
前記基地局によって前記通信マネージャに対し、前記音声活動がしきい値を下回ると前記遠隔装置の前記システム通話者としてやめるための代わりの要求を送る。
［２］下記のステップを具備する、ある時点での単一遠隔装置が、システム通話者として指定されることがあるプッシューツートークシステムでデッドロックを妨げる方法：
現在、前記システム通話者として指定されている遠隔装置からのリンク活動をモニタする；
リンク活動の欠如が検出される場合、前記遠隔装置にシステム通話者特権の否認を送る。
［３］前記モニタするステップは下記のステップを具備する、上記［２］に記載の方法：
前記遠隔装置から受信される信号のスペクトル内容を調べる；
第１の所定しきい値に前記スペクトル内容を比較する；
前記スペクトル内容が、前記第１の所定しきい値を下回る場合にリンク活動の欠如を決定する。
［４］前記遠隔装置から受信される信号がデジタルデータを具備する、ここにおいて前記調べるステップが下記のステップを具備する、上記［２］に記載の方法：
前記デジタルデータの「１」と「０」という論理状態の間の遷移を調べる；
前記遷移の平均数が、第１の所定しきい値を下回る場合に、リンク活動の前記欠如が存在すると決定する。
［５］前記遠隔装置から受信される信号がデジタルデータを具備する、ここにおいて前記モニタするステップが下記のステップをさらに具備する、上記［２］に記載の方法：
受信されたデジタルデータの総数に比較して、前記デジタルデータ内の「１」という論理状態の発生の平均数を求める；
前記発生の平均数が、第１しきい値を下回る場合、または第２しきい値を上回る場合に、前記リンク活動の欠如が存在すると決定する。
［６］前記遠隔装置からの信号はフレーム中に編成された可変速度データを具備し、事前に選択されたデータ速度のセットのうちの１つを有する各フレームが、前記リンク活動の欠如を決定するために前記フレームを評価するステップをさらに具備する、上記［２］に記載の方法。
［７］前記遠隔装置からの信号はフレーム中に編成される可変速度データを具備し、各フレームが事前に選択されたデータ速度のセットのうちの１つを有する、ここにおいて前記モニタするステップが下記のステップをさらに具備する、上記［２］に記載の方法：
事前に選択されたデータ速度の前記セットのうちの最低のもので前記遠隔装置から受信されるフレームの平均数を求める、
前記フレームの平均数が、第１の時間の長さの間に第１しきい値を超える場合に，前記リンク活動の欠如が存在すると決定する。
［８］前記モニタするステップが下記のステップをさらに具備する、上記［７］に記載の方法：
多数のフレームが、事前に選択されたデータ速度の前記セットのうちの前記最低のもの以外の速度で受信される場合に、リンク活動の初期存在を検出する；
前記フレームの平均数が、第２の時間の長さの間に第２しきい値を超える場合に、前記リンク活動の初期存在を検出後、前記リンク活動の欠如が存在すると決定する。
［９］前記第２の時間の長さは、前記第１の時間の長さより大きい、上記［８］に記載の方法。
［１０］下記のステップを具備する、ディスパッチシステムにおいてデッドロックを妨げる方法：
第１遠隔装置によってシステム通話者として使用するための通信リソースを確立する；
前記第１遠隔装置からシステム通話者特権に対する要求を受信する；
前記システム通話者特権を前記第１遠隔装置に認める；
前記第１遠隔装置からトラフィック信号を受信する；
前記トラフィック信号に関するリンク活動をモニタする；
前記リンクが不活動になる場合に、前記第１遠隔装置に対する前記システム通話者特権を否認する。
［１１］前記リンク活動が所定レベル以下に減少するときに、リンクは不活動と定められる、上記［１０］に記載の方法。
［１２］前記通信リソースを確立する前記ステップの反復を必要とすることなく、前記システム通話者になるためのそれ以降の要求を条件にして、前記第１遠隔装置による使用のために前記通信リソースを受信するステップをさらに具備する、上記［１０］に記載の方法。
［１３］前記トラフィック信号は符号分割多元接続信号である、上記［１０］に記載の方法。
［１４］前記トラフィック信号は時分割多元接続信号である、上記［１０］に記載の方法。
［１５］前記第１遠隔装置に対する、前記システム通話者特権を否認するステップが下記のステップをさらに具備する、上記［１０］に記載の方法：
基地局から通信マネージャに、前記システム通話者特権を終了するための代わりの要求を前記第１遠隔装置に送る；
前記通信マネージャから前記基地局へシステム通話者特権の否認を送ることによって、前記代わりの要求に応える；
前記基地局から前記第１遠隔装置にシステム通話者特権の前記否認を送る。
［１６］下記のステップをさらに具備する、上記［１５］に記載の方法：
前記システム通話者特権からの開放を要求するオフ表示を、前記遠隔装置から前記基地局に送る；
前記第１遠隔装置の前記システム通話者特権を終了する要求を、前記基地局から前記通信マネージャに対し、前記オフ表示に応えて送る；
前記通信マネージャから前記基地局に前記否認表示を送る。
［１７］前記第１遠隔装置からの前記トラフィック信号はフレーム中に編成された可変速度データを具備し、各フレームが事前に選択されたデータ速度のセットのうちの１つを有する、ここにおいて前記モニタするステップが下記のステップをさらに具備する、上記［１０］に記載の方法：
前記基地局で、事前に選択されたデータ速度の前記セットのうちの最低のデータ速度での前記トラフィック信号内のフレームの平均数を求める；
前記フレームの平均数が、第１の時間の長さの間に第１しきい値を超える場合に、前記リンク活動が前記所定レベルを下回ると決定する。
［１８］  前記モニタするステップは、下記のステップをさらに具備する上記［１７］に記載の方法：
前記基地局で、前記リンク活動の初期存在を検出する；
前記フレームの平均数が、第２の時間の長さの間に第２しきい値を超えるときに、前記リンク活動の前記初期存在を検出後、前記リンク活動が前記所定レベルを下回ったと決定する。
［１９］前記リンク活動の初期存在を検出する前記ステップは、前記トラフィックチャンネル内で、前記データ速度のうちの前記最低のデータ速度以外のデータ速度でのフレームの数を検出するステップを具備する、上記［１８］に記載の方法。
［２０］下記を具備する、遠隔装置にサービスを提供するように構成されるディスパッチシステム内でデッドロックを妨げるためのシステム：
１セットの他の遠隔装置へ放送伝送するために可変速度データを送る、システム通話者として指定された、遠隔装置と；
前記可変速度データを受信し、リンク活動を検出するために前記可変速度データをモニタし、前記可変速度データを前記セットの他の遠隔装置に放送する基地局と、
前記リンク活動が所定レベルを下回る場合に前記基地局から代わりの遠隔装置開放表示信号を受信し、前記遠隔装置に前記可変速度データの伝送をやめるように命令できるように、前記遠隔装置への伝送のために前記基地局に対し開放表示信号を発行する通信マネージャ。
［２１］単一の遠隔装置が、時間の任意の時点でシステム通話者として指定されるプッシューツートークシステムにおいてデッドロックを妨げる装置であって，
現在、前記システム通話者として指定されている第１遠隔装置からのリンク活動をモニタするための手段と、
リンク活動の欠如が検出される場合、システム通話者特権の否認を前記第１遠隔装置に送るための手段と、
をさらに具備する、前記装置。
［２２］前記第１遠隔装置からの信号はフレーム中に編成された可変速度データを具備し、各フレームが事前に選択されたデータ速度のセットのうちの１つを有する、ここにおいて前記モニタするための手段は下記をさらに具備する、上記［２１］に記載の装置：
前記事前に選択されたデータ速度の前記セットのうちの最低のデータ速度で前記第１遠隔装置から受信されるフレームの平均数を検出するための手段と；
前記リンク活動の欠如として、第１の時間の長さの間に第１しきい値を超える前記フレームの平均数を検出するための手段。
［２３］前記モニタするための手段は下記をさらに具備する、上記［２１］に記載の装置：
フレームの数が、前記事前に選択されたデータ速度のセットのうちの前記最低のデータ速度以外の速度で受信される場合に、リンク活動の初期存在を検出するための手段と、
前記フレームの平均数が、第２の時間の長さの間に第２しきい値を超える場合に、前記リンク活動の初期存在を検出後、前記リンク活動の欠如を決定するための手段。
【外国語明細書】
2010068539000001.pdf